(57)【要約】【課題】糸のバルーンの拡がりを効率よく抑制する。【解決手段】ガイド筒５０は、給糸ボビンＳＢからの糸Ｙの解舒を補助する。ガイド筒５０は、中心軸線Ｌに沿って延在する円筒形状の第１筒部５１と、中心軸線Ｌに沿って延在すると共に、第１筒部５１における中心軸線Ｌに沿った両端部のうち給糸ボビンＳＢから解舒された糸Ｙの走行方向の上流側の端部に連結された第２筒部５２とを備える。中心軸線Ｌに直交する方向における第２筒部５２の断面形状は、非円環形状となる部分を含む。【選択図】図６
2020172362.tif 000002
【特許請求の範囲】
【請求項１】
ボビンからの糸の解舒を補助するガイド筒であって、
予め定められた基準軸線に沿って延在する円筒形状の第１筒部と、
前記基準軸線に沿って延在すると共に、前記第１筒部における前記基準軸線に沿った両端部のうち前記ボビンから解舒された前記糸の走行方向の上流側の端部に連結された第２筒部と、
を備え、
前記基準軸線に直交する方向における前記第２筒部の断面形状は、非円環形状となる部分を含む、ガイド筒。
【請求項２】
前記第２筒部は、前記第１筒部に連結された側の端部から前記第１筒部に連結された側の端部に対して反対側の端部に向けて徐々に拡がるテーパー形状を呈している、請求項１に記載のガイド筒。
【請求項３】
前記第２筒部における前記断面形状が非円環形状となる部分は、前記第２筒部における前記第１筒部に連結された側の端部に対して反対側の端部に設けられている、請求項１又は２に記載のガイド筒。
【請求項４】
前記第２筒部は、外側又は内側に向けて突出する屈曲部を有し、
前記第２筒部における非円環形状の部分は、前記屈曲部によって構成されている、請求項３に記載のガイド筒。
【請求項５】
前記第２筒部には、外側に向けて突出する３つ以上の前記屈曲部が設けられている、請求項４に記載のガイド筒。
【請求項６】
前記第２筒部には、外側に向けて突出する前記屈曲部である外側屈曲部と、内側に向けて突出する前記屈曲部である内側屈曲部とが設けられ、
前記外側屈曲部は複数設けられ、
前記内側屈曲部は、前記外側屈曲部と同数設けられ、
前記外側屈曲部と前記内側屈曲部とは、前記第２筒部の周方向において交互に設けられている、請求項４に記載のガイド筒。
【請求項７】
前記第２筒部に設けられた前記屈曲部は、前記第２筒部における前記第１筒部に連結された側の端部に対して反対側の端部から前記第１筒部側に連結された側の端部に向かって延在すると共に、前記第１筒部に連結された側の端部に向かうに従って徐々に突出の度合いが小さくなる、請求項４〜６のいずれか一項に記載のガイド筒。
【請求項８】
前記第２筒部における前記第１筒部に連結された側の端部の形状は、円環形状である、請求項１〜７のいずれか一項に記載のガイド筒。
【発明の詳細な説明】
【技術分野】
【０００１】
本発明は、ボビンからの糸の解舒を補助するガイド筒に関する。
【背景技術】
【０００２】
給糸ボビンから糸を解舒しつつ、巻取ボビンに糸を巻き取る自動ワインダがある。ここで、給糸ボビンの周囲には、巻取ボビンから解舒された糸によってバルーンが形成される。なお、バルーンとは、給糸ボビンから解舒された糸が遠心力によって振り回されている部分である。糸の解舒時に糸が過度に振り回されることを防止するため、自動ワインダには、糸の解舒を補助する糸解舒補助装置が設けられている。糸解舒補助装置は、給糸ボビンの芯管に被せられるガイド筒を備えている。糸解舒補助装置は、バルーンに対してガイド筒を接触させることによって、糸が過度に振り回されることを防止している。このようなガイド筒を備える糸解舒補助装置が、例えば、特許文献１に記載されている。
【先行技術文献】
【特許文献】
【０００３】
【特許文献１】特開２０１３−６７４５９号公報
【発明の概要】
【発明が解決しようとする課題】
【０００４】
ここで、給糸ボビンから糸を解舒する速度を早くすると糸が振り回される速さが早くなり、糸に加わる遠心力が大きくなる。これにより、給糸ボビンから解舒された糸のバルーンの拡がりが大きくなる。
【０００５】
そこで、本発明の一側面は、糸のバルーンの拡がりを効率よく抑制可能なガイド筒を提供することを目的とする。
【課題を解決するための手段】
【０００６】
本発明の一側面は、ボビンからの糸の解舒を補助するガイド筒であって、予め定められた基準軸線に沿って延在する円筒形状の第１筒部と、基準軸線に沿って延在すると共に、第１筒部における基準軸線に沿った両端部のうちボビンから解舒された糸の走行方向の上流側の端部に連結された第２筒部と、を備え、基準軸線に直交する方向における第２筒部の断面形状は、非円環形状となる部分を含む。
【０００７】
このガイド筒では、ボビンから解舒された糸が第２筒部内を通った後、第１筒部内を通る。すなわち、第２筒部は、ボビンから解舒された糸のバルーンの拡がりを抑え込みつつ、第１筒部に糸を案内する。そして、第１筒部は、内周面によってバルーンの拡がりを抑え込む。ここで、第２筒部は、断面形状が非円環形状の部分を含んでいる。このため、第２筒部の内周面にバルーンが接触した状態で糸が振り回されたときに、非円環形状の部分が設けられていることによって振り回された糸に衝撃が加わり、糸が振動する。この振動により、糸に加わる遠心力の強弱が切り替えられ、バルーンの形成が阻害される。このように、ガイド筒は、非円環形状の部分を有する第２筒部を備えることによって、糸のバルーンの拡がりを効率よく抑制できる。
【０００８】
ガイド筒において、第２筒部は、第１筒部に連結された側の端部から第１筒部に連結された側の端部に対して反対側の端部に向けて徐々に拡がるテーパー形状を呈していてもよい。この場合、ガイド筒は、第２筒部をボビンに巻かれた糸のチェース部に沿った形状とすることができる。これにより、ガイド筒は、ボビンのチェース部と第２筒部とをより一層接近させることが可能となり、糸のバルーンの拡がりをより一層抑制できる。
【０００９】
第２筒部において断面形状が非円環形状となる部分は、第２筒部における第１筒部に連結された側の端部に対して反対側の端部に設けられていてもよい。この場合、非円環形状の部分で糸に生じた振動を、ボビンの糸の解舒位置と第２筒部との間の部分のバルーンに対して効率よく伝達できる。これにより、ガイド筒は、糸のバルーンの拡がりをより一層効率よく抑制できる。
【００１０】
ガイド筒において、第２筒部は、外側又は内側に向けて突出する屈曲部を有し、第２筒部における非円環形状の部分は、屈曲部によって構成されていてもよい。この場合、ガイド筒は、屈曲部が設けられた部分によって糸に衝撃を与えることで、糸のバルーンの拡がりを抑制できる。
【００１１】
ガイド筒において、第２筒部には、外側に向けて突出する３つ以上の前記屈曲部が設けられていてもよい。この場合、ガイド筒は、糸に対して効率よく衝撃を与えて、糸のバルーンの拡がりをより一層抑制できる。
【００１２】
ガイド筒において、第２筒部には、外側に向けて突出する屈曲部である外側屈曲部と、内側に向けて突出する屈曲部である内側屈曲部とが設けられ、外側屈曲部は複数設けられ、内側屈曲部は、外側屈曲部と同数設けられ、外側屈曲部と内側屈曲部とは、第２筒部の周方向において交互に設けられていてもよい。この場合、ガイド筒は、交互に設けられた外側屈曲部と内側屈曲部とによって、糸に対して効率よく衝撃を与えることができる。
【００１３】
ガイド筒において、第２筒部に設けられた屈曲部は、第２筒部における第１筒部に連結された側の端部に対して反対側の端部から第１筒部側に連結された側の端部に向かって延在すると共に、第１筒部に連結された側の端部に向かうに従って徐々に突出の度合いが小さくなってもよい。この場合、第２筒部は、第１筒部に向けてスムーズに糸を案内できる。
【００１４】
ガイド筒において、第２筒部における第１筒部に連結された側の端部の形状は、円環形状であってもよい。この場合、第２筒部は、第１筒部に向けてより一層スムーズに糸を案内できる。
【発明の効果】
【００１５】
本発明の一側面によれば、糸のバルーンの拡がりを効率よく抑制できる。
【図面の簡単な説明】
【００１６】
【図１】図１は、実施形態に係る自動ワインダの正面図である。
【図２】図２は、巻取ユニットの側面図である。
【図３】図３は、糸解舒補助装置のガイド筒周りの側面図である。
【図４】図４は、ガイド筒の側面図である。
【図５】図５は、図４のＶ−Ｖ線に沿った第２筒部の端面図である。
【図６】図６は、ガイド筒を第２筒部側から見た斜視図である。
【図７】図７は、ガイド筒を第２筒部側から見たときに、第２筒部の下端部に当接しながら移動する糸の軌跡を示す模式図である。
【図８】図８（ａ）〜図８（ｄ）は、変形例におけるガイド筒を第２筒部側から見た斜視図である。
【図９】図９は、変形例におけるガイド筒の側面図である。
【図１０】図１０は、図９のＸ−Ｘ線に沿った第２筒部の端面図である。
【図１１】図１１は、図９のガイド筒を第２筒部側から見た斜視図である。
【図１２】図１２（ａ）〜図１２（ｄ）は、変形例におけるガイド筒を第２筒部側から見た斜視図である。
【発明を実施するための形態】
【００１７】
以下、本発明の実施形態について図面を参照しながら説明する。なお、図面の説明において同一の要素には同一の符号を付し、重複する説明を省略する。
【００１８】
図１に示されるように、自動ワインダ１は、並べて配置された複数の巻取ユニット３と、機台制御装置５と、玉揚装置７と、を備えている。
【００１９】
機台制御装置５は、複数の巻取ユニット３それぞれと通信可能である。自動ワインダ１のオペレータは、機台制御装置５を適宜操作することにより、複数の巻取ユニット３を一括して管理できる。機台制御装置５には、表示画面５ａと、入力キー５ｂと、が設けられている。表示画面５ａは、巻取ユニット３の設定内容及び／又は状態に関する情報等を表示することができる。オペレータが入力キー５ｂを用いて適宜の操作を行うことにより、巻取ユニット３の設定作業が行われる。
【００２０】
複数の巻取ユニット３のそれぞれは、給糸ボビン（ボビン）ＳＢから糸Ｙを解舒しつつ、糸Ｙを綾振りしながら巻取ボビンＷＢに巻き取る。このようにして、巻取ユニット３は、パッケージＰを形成する。糸Ｙは、芯糸が含まれていてもよい。芯糸は、例えば、モノフィラメント糸、糸等である。
【００２１】
玉揚装置７は、複数の巻取ユニット３のそれぞれにおいてパッケージＰが満巻（規定量の糸が巻き取られた状態）となった際に、当該巻取ユニット３の位置まで走行し、満巻パッケージを巻取ユニット３から取り外すと共に、空の巻取ボビンＷＢを巻取ユニット３にセットする。
【００２２】
次に、図２を参照して、巻取ユニット３の構成について説明する。図２に示されるように、複数の巻取ユニット３のそれぞれは、ユニット制御部１０と、給糸装置１２と、巻取装置１４と、を備えている。
【００２３】
ユニット制御部１０は、例えば、ＣＰＵ（Central  Processing  Unit）と、ＲＯＭ(Read  Only  Memory)と、を備えている。ＲＯＭには、巻取ユニット３の各構成を制御するためのプログラムが記憶される。ＣＰＵは、ＲＯＭに記憶されたプログラムを実行する。ユニット制御部１０は、ハードウェアとソフトウェアとの協働により、巻取ユニット３の各構成を制御する。ユニット制御部１０は、機台制御装置５と通信可能に構成されている。これにより、自動ワインダ１が備えた複数の巻取ユニット３の動作を、機台制御装置５において集中的に管理することができる。
【００２４】
給糸装置１２は、搬送トレイに載せられた給糸ボビンＳＢを所定の位置で支持する支持機構である。給糸ボビンＳＢから糸Ｙが解舒され、給糸ボビンＳＢから上方に向けて糸Ｙが引き出される。これにより、給糸装置１２は、糸Ｙを供給する。給糸装置１２は、搬送トレイ式に限られず、例えばマガジン式であってもよい。
【００２５】
巻取装置１４は、クレードル１６と、巻取ドラム１８と、を備えている。クレードル１６は、一対の回転支持部（図示しない）を有している。クレードル１６は、回転支持部で巻取ボビンＷＢを挟み込むことにより、当該巻取ボビンＷＢ（又はパッケージＰ）を回転可能に支持する。クレードル１６は、支持しているパッケージＰを巻取ドラム１８に接触させる状態と、パッケージＰを巻取ドラム１８から離した状態と、に切替可能である。
【００２６】
巻取ドラム１８は、パッケージＰの表面で糸Ｙをトラバースさせると共にパッケージＰを回転させる。巻取ドラム１８は、ドラム駆動モータ（図示しない）によって回転駆動される。パッケージＰの外周面を巻取ドラム１８に接触させた状態で、当該巻取ドラム１８を回転駆動することにより、パッケージＰを従動回転させる。また、巻取ドラム１８の外周面には、螺旋状の綾振溝が形成されている。給糸ボビンＳＢから解舒された糸Ｙは、綾振溝によって一定の幅でトラバースされながらパッケージＰの表面に巻き取られる。これにより、一定の巻幅を有するパッケージＰを形成することができる。
【００２７】
複数の巻取ユニット３のそれぞれは、給糸装置１２と巻取装置１４との間の糸走行経路中に、給糸装置１２側から順に、糸解舒補助装置２０と、テンション付与装置２２と、テンション検出装置２４と、糸継装置２６と、糸監視装置２８と、ワックス付与装置３０と、を備えている。糸継装置２６の近傍には、第１捕捉案内装置３２と、第２捕捉案内装置３４と、が配置されている。
【００２８】
糸解舒補助装置２０は、給糸ボビンＳＢの芯管に被さることが可能なガイド筒５０を備えている。ガイド筒５０は、略筒状であり、給糸ボビンＳＢの糸層上部に形成された糸Ｙのバルーンに接触するように配置されている。バルーンとは、給糸ボビンＳＢから解舒される糸Ｙが遠心力に振り回されている部分のことである。このバルーンに対してガイド筒５０を接触させることにより、当該バルーンの部分の糸Ｙに接触して、糸Ｙが過度に振り回されることを防止する。これにより、当該糸Ｙを給糸ボビンＳＢから適切に解舒できる。
【００２９】
テンション付与装置２２は、走行する糸Ｙに所定のテンションを付与する。本実施形態では、テンション付与装置２２は、固定の櫛歯に対して可動の櫛歯を配置するゲート式である。可動側の櫛歯は、櫛歯同士が噛み合わせ状態となるように付勢されている。テンション付与装置２２は、噛み合わせ状態の櫛歯の間を屈曲させながら糸Ｙを通過させることにより、当該糸Ｙに対してテンションを付与する。テンション付与装置２２の動作は、ユニット制御部１０により制御される。
【００３０】
テンション検出装置２４は、給糸装置１２と巻取装置１４との間において、走行する糸Ｙのテンションを検出（測定）する。テンション検出装置２４は、糸Ｙのテンションの測定値を示すテンション測定信号をユニット制御部１０に出力する。
【００３１】
糸継装置２６は、給糸装置１２と巻取装置１４との間で糸Ｙが何らかの理由により分断状態となったときに、給糸装置１２側の糸Ｙ（下糸）と、巻取装置１４側の糸Ｙ（上糸）と、を糸継ぎする。本実施形態において、糸継装置２６は、圧縮空気により発生させた旋回空気流によって糸端同士を撚り合わせるスプライサ装置として構成されている。
【００３２】
糸監視装置２８は、糸道を走行する糸Ｙの状態を監視して、監視した情報に基づいて糸欠陥の有無を検出する。糸監視装置２８は、糸欠陥として、例えば、糸Ｙの太さ異常及び／又は糸Ｙに含有されている異物を検出する。また、糸監視装置２８は、糸切れ、すなわち糸道における糸Ｙの有無等も検出する。糸監視装置２８の近傍には、糸Ｙを切断するためのカッタ２９が設けられている。カッタ２９は、糸監視装置２８により作動させられる。
【００３３】
ワックス付与装置３０は、巻取装置１４と糸監視装置２８との間に配置されている。ワックス付与装置３０は、糸監視装置２８から巻取装置１４に向けて走行する糸Ｙにワックスを付与する。
【００３４】
次に、糸解舒補助装置２０の構成の詳細について説明する。図３に示されるように、糸解舒補助装置２０は、給糸装置１２によって起立した状態で支持された給糸ボビンＳＢの上方において、給糸ボビンＳＢからの糸Ｙの解舒を補助する。糸解舒補助装置２０は、給糸ボビンＳＢから解舒される糸Ｙにより形成されるバルーンの大きさを制御し、糸Ｙに適切なテンションを付与する。
【００３５】
具体的には、糸解舒補助装置２０は、ガイド筒５０と、固定筒５４と、昇降機構５６と、を備えている。固定筒５４は、上下端が開口する略円筒形状の部材である。固定筒５４は、ホルダー５８を介して巻取ユニット３のフレームに固定されている。固定筒５４の下端部には、糸ガイド５５が設けられる。
【００３６】
ガイド筒５０は、上下端が開口する略筒形状の部材である。ガイド筒５０は、ホルダー５７を介して昇降機構５６に支持されている。ガイド筒５０の上部の内側には、固定筒５４の下部が嵌め込まれている。ガイド筒５０は、昇降機構５６によって昇降させられることによって、給糸ボビンＳＢの上部に被せられる。給糸ボビンＳＢの中心軸線と、固定筒５４及びガイド筒５０の中心軸線とは一致している。
【００３７】
また、糸解舒補助装置２０は、給糸ボビンＳＢのチェース部Ｔの高さを検出するセンサを備えている。チェース部Ｔの位置は、糸Ｙが解舒されることによって降下する。昇降機構５６は、センサによって検出されたチェース部Ｔの高さに応じて、ガイド筒５０を降下させる。
【００３８】
固定筒５４は、固定された状態でバルーンの拡がりを規制する。ガイド筒５０は、給糸ボビンＳＢからの糸Ｙの解舒に追随して移動して、バルーンの拡がりを規制する。このように、固定筒５４及びガイド筒５０は、バルーンの拡がりを規制することによって、糸Ｙの解舒を補助する。
【００３９】
次に、ガイド筒５０の詳細について説明する。図４〜図６に示されるガイド筒５０は、上述したように、給糸ボビンＳＢからの糸Ｙの解舒を補助する。ガイド筒５０は、第１筒部５１と、第２筒部５２と、を備えている。第１筒部５１は、中心軸線（予め定められた基準軸線）Ｌに沿って延在する円筒形状を呈している。すなわち、中心軸線Ｌに直交する方向における第１筒部５１の断面形状は、円環形状となっている。
【００４０】
第２筒部５２は、中心軸線Ｌに沿って延在している。第２筒部５２は、第１筒部５１の下端部に連結されている。すなわち、第２筒部５２は、第１筒部５１における中心軸線Ｌにそった両端部（上端部及び下端部）のうち、給糸ボビンＳＢから解舒された糸Ｙの走行方向の上流側の端部に連結されている。
【００４１】
第２筒部５２は、下端部に向けて径が拡大するテーパー形状を呈している。すなわち、第２筒部５２は、第１筒部５１に連結された側の端部（上端部）から第１筒部５１に連結された側の端部に対して反対側の端部（下端部）に向けて徐々に拡がるテーパー形状を呈している。
【００４２】
また、中心軸線Ｌに直交する方向における第２筒部５２の断面形状は、非円環形状となる部分を含んでいる。ここで、第２筒部５２の断面形状が非円環形状であることとは、第２筒部５２の断面形状が円環形状（真円の環形状）ではないことである。この円環形状は、例えば、Ｃ字状のように、円環の一部に切欠きが設けられた形状を含む。すなわち、円環形状とは、円環の一部に切欠きが設けられていたとしても、第２筒部５２内において振り回される糸Ｙが当接する部分の断面形状が真円に沿った形状のみからなる形状を含む。
【００４３】
本実施形態において、第２筒部５２は、中心軸線Ｌに直交する方向の断面形状が非円環形状となる部分として、断面形状が四角環形状となる部分を含んでいる。また、第２筒部５２において、断面形状が四角環形状となる部分は、第２筒部５２の下端部に設けられている。すなわち、第２筒部５２における断面形状が四角環形状となる部分は、第２筒部５２における第１筒部５１に連結された側の端部に対して反対側の端部に設けられている。
【００４４】
このように、第２筒部５２は、外側に向けて突出する外側屈曲部（屈曲部）Ｗ１を４つ有している。第２筒部５２における断面形状が四角環形状となる部分は、４つの外側屈曲部Ｗ１によって構成されている。本実施形態において、第２筒部５２の下端部における外側屈曲部Ｗ１の内角は、それぞれ９０°となっている。外側屈曲部Ｗ１は、第２筒部５２の下端部に設けられると共に、第２筒部５２の下端部から上端部に向かって延在している。
【００４５】
さらに、第２筒部５２に設けられた外側屈曲部Ｗ１は、第１筒部５１に連結される側の端部（上端部）に向かうに従って徐々に突出の度合いが小さくなる。そして、図５に示されるように、第２筒部５２における第１筒部５１に連結された側の端部（上端部）の形状は、円環形状となっている。すなわち、第２筒部５２の断面形状は、第２筒部５２の下端部から上端部に向けて、四角環形状から円環形状に徐々に変化している。
【００４６】
次に、給糸ボビンＳＢから解舒されて振り回された糸Ｙが、第２筒部５２の内周面に沿って移動するときの軌跡について説明する。ここでは、第２筒部５２の下端部の内周面に沿って移動する糸Ｙの軌跡について、図７を用いて説明する。なお、図７では、第２筒部５２の下端部、及び第２筒部５２の下端部に当接する部分の糸Ｙ（糸Ｙの断面）のみが示されている。
【００４７】
図７に示されるように、糸Ｙは、遠心力によって振り回されることにより、第２筒部５２の内周面５３に当接した状態で内周面５３に沿って周方向に移動する。なお、この糸Ｙの軌跡を軌跡Ｋとする。また、内周面５３を構成する４つの内面を内面５３ａとする。すなわち、糸Ｙは、４つの内面５３ａに順次当接するように振り回される。
【００４８】
上述したように、第２筒部５２には、外側屈曲部Ｗ１が設けられている。このため、糸Ｙは、現在当接している内面５３ａから外側屈曲部Ｗ１を介して次の内面５３ａに向けて移動するときに、一旦、内周面５３から離れて次の内面５３ａの衝突位置Ｚに当接する。糸Ｙが次の内周面５３の衝突位置Ｚに当接したときに、糸Ｙの移動方向が急激に変えられることによって、糸Ｙに衝撃が加わる。この衝撃によって、糸Ｙが振動する（図７の軌跡Ｋが波線形状となっている部分）。この振動によって、糸Ｙのバルーンの拡がりが抑制され、糸Ｙに加わる遠心力が弱められる。本実施形態では、糸Ｙが第２筒部５２の内周面５３を１周する間に、糸Ｙには、各内面５３ａの衝突位置Ｚにおいて合計４回、衝撃が加えられる。
【００４９】
以上のように、ガイド筒５０は、給糸ボビンＳＢから解舒された糸Ｙが第２筒部５２内を通った後、第１筒部５１内を通る。すなわち、第２筒部５２は、給糸ボビンＳＢから解舒された糸Ｙのバルーンの拡がりを抑え込みつつ、第１筒部５１に糸Ｙを案内する。そして、第１筒部５１は、内周面によってバルーンの拡がりを抑え込む。ここで、第２筒部５２は、断面形状が非円環形状の部分を含んでいる。すなわち、本実施形態において、第２筒部５２は、断面形状が四角環形状の部分を含んでいる。このため、第２筒部５２の内周面５３にバルーンが接触した状態で糸Ｙが振り回されたときに、四角環形状の部分が設けられていることによって振り回された糸Ｙに衝撃が加わり、糸が振動する。この振動により、糸Ｙに加わる遠心力の強弱が切り替えられ、バルーンの形成が阻害される。このように、ガイド筒５０は、四角環形状の部分を有する第２筒部５２を備えることによって、糸Ｙのバルーンの拡がりを効率よく抑制できる。
【００５０】
ガイド筒５０は、バルーンの拡がりを抑制することで、遠心力によって糸Ｙが過度に引き出されることを抑制できる。これにより、ガイド筒５０は、意図しない部分での糸Ｙのたるみ等を抑制でき、糸Ｙが給糸ボビンＳＢから円環状のまま抜け出る（いわゆるスラッフィング）ことを抑制できる。また、ガイド筒５０は、給糸ボビンＳＢから解舒された糸Ｙが給糸ボビンＳＢの芯管に巻き付くことを抑制でき、給糸ボビンＳＢから糸Ｙが引き出されるときの糸Ｙのテンションを低減できる。これにより、ガイド筒５０は、糸Ｙが切れることを抑制しつつ、糸Ｙの解舒速度を速くすることができる。
【００５１】
第２筒部５２は、下端部に向けて径が拡大するテーパー形状を呈している。この場合、ガイド筒５０は、第２筒部５２を給糸ボビンＳＢに巻かれた糸Ｙのチェース部Ｔに沿った形状とすることができる。これにより、ガイド筒５０は、給糸ボビンＳＢのチェース部Ｔと第２筒部５２とをより一層接近させることが可能となり、糸Ｙのバルーンの拡がりをより一層抑制できる。
【００５２】
第２筒部５２において断面形状が四角環形状となる部分は、第２筒部５２の下端部に設けられている。この場合、四角環形状の部分で糸Ｙに生じた振動を、給糸ボビンＳＢの糸Ｙの解舒位置と第２筒部５２との間の部分のバルーン（ガイド筒５０に当接していない部分のバルーン）に対して効率よく伝達できる。これにより、ガイド筒５０は、糸Ｙのバルーンの拡がりをより一層効率よく抑制できる。
【００５３】
第２筒部５２における四角環形状の部分は、４つの外側屈曲部Ｗ１によって構成されている。この場合、ガイド筒５０は、外側屈曲部Ｗ１が設けられた部分によって糸Ｙに衝撃を与えることで、糸Ｙのバルーンの拡がりを抑制できる。また、第２筒部５２には、外側屈曲部Ｗ１が４つ設けられている。このため、ガイド筒５０は、４つの外側屈曲部Ｗ１によって糸Ｙに対して効率よく衝撃を与えることができ、糸Ｙのバルーンの拡がりをより一層抑制できる。
【００５４】
第２筒部５２に設けられた外側屈曲部Ｗ１は、第１筒部５１に連結された側に向かうに従って徐々に突出の度合いが小さくなる。この場合、第２筒部５２は、円筒形状の第１筒部に向けてスムーズに糸Ｙを案内できる。また、第２筒部５２における第１筒部５１に連結された側の端部の形状は、円環形状である。この場合、第２筒部５２は、第１筒部５１に向けてより一層スムーズに糸Ｙを案内できる。
【００５５】
以上、本発明の実施形態について説明したが、本発明は、上記実施形態に限定されない。例えば、第２筒部５２は、断面形状が非円環形状となる部分として、図６に示されるように四角環形状となる部分を有していることに限定されない。第２筒部は、非円環形状であれば、四角形以外の多角形の環形状となる部分を備えていてもよい。例えば、図８（ａ）に示されるガイド筒５０Ａのように、第２筒部５２Ａは、３つの外側屈曲部Ｗ１によって形成される三角環形状となる部分を備えていてもよい。同様に、例えば、図８（ｂ）に示されるガイド筒５０Ｂのように、第２筒部５２Ｂは、５つの外側屈曲部Ｗ１によって形成される五角環形状となる部分を備えていてもよい。例えば、図８（ｃ）に示されるガイド筒５０Ｃのように、第２筒部５２Ｃは、６つの外側屈曲部Ｗ１によって形成される六角環形状となる部分を備えていてもよい。例えば、図８（ｄ）に示されるガイド筒５０Ｄのように、第２筒部５２Ｄは、８つの外側屈曲部Ｗ１によって形成される八角環形状となる部分を備えていてもよい。これらの場合であっても、ガイド筒５０Ａ〜５０Ｄは、実施形態におけるガイド筒５０と同様の効果を奏することができる。
【００５６】
また、例えば、第２筒部は、図６、図８（ａ）〜図８（ｄ）を用いて説明したように外側屈曲部Ｗ１が３つ以上設けられている以外にも、外側屈曲部Ｗ１が１つ又は２つだけ設けられていてもよい。この場合であっても、ガイド筒は、外側屈曲部Ｗ１が設けられていることによって糸Ｙに衝撃を与えることができ、実施形態におけるガイド筒５０と同様の効果を奏することができる。
【００５７】
また、第２筒部５２は、外側屈曲部Ｗ１以外にも、内側に向けて突出する内側屈曲部を備えていてもよい。具体的には、図９〜図１１に示されるように、ガイド筒５０Ｅは、第１筒部５１と、第２筒部５２Ｅと、を備える。第２筒部５２Ｅは、外側に向けて突出する外側屈曲部Ｗ１を４つ有し、且つ、内側に向けて突出する内側屈曲部（屈曲部）Ｗ２を４つ有している。外側屈曲部Ｗ１と内側屈曲部Ｗ２とは、第２筒部５２Ｅの周方向において交互に設けられている。外側屈曲部Ｗ１の内角は、９０°未満となっている。内側屈曲部Ｗ２の内角は、１８０°よりも大きい。第２筒部５２Ｅにおける断面形状が非円環形状となる部分は、４つの外側屈曲部Ｗ１と４つの内側屈曲部Ｗ２とによって構成されている。
【００５８】
この場合であっても、第２筒部５２Ｅは、交互に設けられた外側屈曲部Ｗ１と内側屈曲部Ｗ２とによって、糸Ｙが振り回されたときに糸Ｙに対して効率よく衝撃を与えることができ、糸Ｙのバルーンの拡がりを抑制できる。このように、ガイド筒５０Ｅは、実施形態におけるガイド筒５０と同様の効果を奏することができる。また、ガイド筒５０Ｅは、外側屈曲部Ｗ１及び内側屈曲部Ｗ２の内角の大きさが変更されることで、糸Ｙに加えられる衝撃の大きさを調整できる。
【００５９】
また、例えば、第２筒部５２Ｅは、断面形状が非円環形状となる部分として、図１１に示されるように４つの外側屈曲部Ｗ１と４つの内側屈曲部Ｗ２とを有していることに限定されない。第２筒部は、複数の外側屈曲部Ｗ１と、外側屈曲部Ｗ１と同数の内側屈曲部Ｗ２とを有していてもよい。例えば、図１２（ａ）に示されるガイド筒５０Ｆのように、第２筒部５２Ｆは、３つの外側屈曲部Ｗ１と、３つの内側屈曲部Ｗ２とによって形成される非円環形状となる部分を備えていてもよい。同様に、例えば、図１２（ｂ）に示されるガイド筒５０Ｇのように、第２筒部５２Ｇは、５つの外側屈曲部Ｗ１と、５つの内側屈曲部Ｗ２とによって形成される非円環形状となる部分を備えていてもよい。例えば、図１２（ｃ）に示されるガイド筒５０Ｈのように、第２筒部５２Ｈは、６つの外側屈曲部Ｗ１と、６つの内側屈曲部Ｗ２とによって形成される非円環形状となる部分を備えていてもよい。例えば、図１２（ｄ）に示されるガイド筒５０Ｉのように、第２筒部５２Ｉは、８つの外側屈曲部Ｗ１と、８つの内側屈曲部Ｗ２とによって形成される非円環形状となる部分を備えていてもよい。
【００６０】
また、例えば、第２筒部は、図１１、図１２（ａ）〜図１２（ｄ）を用いて説明したように外側屈曲部Ｗ１及び内側屈曲部Ｗ２が３つ以上ずつ設けられている以外にも、外側屈曲部Ｗ１及び内側屈曲部Ｗ２が１つずつ又は２つずつ設けられていてもよい。また、第２筒部は、外側屈曲部Ｗ１の数と、内側屈曲部Ｗ２の数とが互いに異なっていてもよい。この場合であっても、ガイド筒は、外側屈曲部Ｗ１及び内側屈曲部Ｗ２が設けられていることによって糸Ｙに衝撃を与えることができ、実施形態におけるガイド筒５０と同様の効果を奏することができる。
【００６１】
また、第２筒部には、内側屈曲部Ｗ２のみが１又は複数設けられていてもよい。この場合であっても、ガイド筒は、内側屈曲部Ｗ２が設けられていることによって糸Ｙに衝撃を与えることができ、実施形態におけるガイド筒５０と同様の効果を奏することができる。
【００６２】
また、第２筒部５２は、外側屈曲部Ｗ１によって断面形状が非円環形状となる部分が形成されることに限定されない。第２筒部５２は、外側屈曲部Ｗ１及び内側屈曲部Ｗ２が設けられること以外の構成によって、断面形状が非円環形状となる部分が形成されていてもよい。第２筒部の断面形状は、例えば、楕円形の環形状であってもよい。第２筒部５２は、下端部に向けて徐々に広がるテーパー形状を呈していなくてもよい。断面形状が非円環形状となる部分は、第２筒部５２の下端部に設けられていなくてもよい。第２筒部５２は、第２筒部５２のいずれかの位置に、断面形状が非円環形状となる部分が設けられていればよい。
【００６３】
第２筒部５２に設けられた外側屈曲部Ｗ１は、第１筒部５１に連結される側の端部に向うに従って徐々に突出の度合いが小さくなることに限定されない。第２筒部５２に設けられた外側屈曲部Ｗ１の突出の度合いは、一定であってもよい。また、第２筒部５２における第１筒部５１に連結された側の端部形状は、円環形状でなくてもよい。
【００６４】
以上に記載された実施形態及び種々の変形例の少なくとも一部が任意に組み合わせられてもよい。
【符号の説明】
【００６５】
５０…ガイド筒、５１…第１筒部、５２，５２Ａ〜５２Ｉ…第２筒部、Ｌ…中心軸線（基準軸線）、ＳＢ…給糸ボビン（ボビン）、Ｗ１…外側屈曲部（屈曲部）、…内側屈曲部（屈曲部）、Ｙ…糸。
【図１】
2020172362.tif 000003
【図２】
2020172362.tif 000004
【図３】
2020172362.tif 000005
【図４】
2020172362.tif 000006
【図５】
2020172362.tif 000007
【図６】
2020172362.tif 000008
【図７】
2020172362.tif 000009
【図８】
2020172362.tif 000010
【図９】
2020172362.tif 000011
【図１０】
2020172362.tif 000012
【図１１】
2020172362.tif 000013
【図１２】
2020172362.tif 000014